(57)【要約】【課題】ユーザの特別な作業を必要とせず、表面と裏面の印刷内容が適切な印刷物を得ることができる印刷装置を提供する。【解決手段】印刷装置１は、手動両面印刷において、第１面の印刷時における最初の印刷媒体の上向きの面が印刷媒体の表面および裏面のいずれであるか、指定供給部が上面給紙部２１および下面給紙部２２のいずれであるか、および、指定排出部がフェイスアップ排紙部４およびフェイスダウン排紙部６のいずれであるかに基づいて、画像データの印刷順の並べ替えを行い、各印刷媒体の第１面および第２面の印刷に用いる画像データを決定する。【選択図】図１
2012111181.tif 000002
【特許請求の範囲】
【請求項１】
印刷媒体に印刷を行う印刷部と、
前記印刷部に印刷媒体を供給する媒体供給部と、
印刷媒体の前記印刷部により印刷される面を検出する検出部と、
前記印刷部により印刷された印刷媒体を印刷面が上向きの状態で排出して積載する第１の排出部と、
前記印刷部により印刷された印刷媒体を印刷面が下向きの状態で排出して積載する第２の排出部と、
両面印刷において、前記媒体供給部から所定数の印刷媒体を順次供給させて印刷媒体の一方の面に前記印刷部により印刷させ、前記第１および第２の排出部のうちの一方である指定排出部に排出させた後、前記媒体供給部に再度搬入される片面印刷済みの所定数の印刷媒体を順次供給させて他方の面に前記印刷部により印刷させる制御部とを備え、
前記制御部は、印刷媒体の一方の面を印刷する際に前記検出部により検出された面が印刷媒体の表面および裏面のいずれであるか、および、前記指定排出部が前記第１および第２の排出部のいずれであるかに基づいて、各印刷媒体の一方の面および他方の面に印刷する画像データを決定することを特徴とする印刷装置。
【請求項２】
前記媒体供給部は、積み重ねられた印刷媒体を上側から取り出す第１の供給部と、印刷媒体を下側から取り出す第２の供給部とを有し、
前記制御部は、両面印刷において、他方の面の印刷時は、前記第１および第２の供給部のうちの一方である指定供給部から所定数の印刷媒体を順次供給させ、各印刷媒体の一方の面および他方の面の印刷に用いる画像データを、印刷媒体の一方の面を印刷する際に前記検出部により検出された面が印刷媒体の表面および裏面のいずれであるか、前記指定供給部が前記第１および第２の供給部のいずれであるか、および、前記指定排出部が前記第１および第２の排出部のいずれであるかに基づいて決定することを特徴とする請求項１に記載の印刷装置。
【請求項３】
前記制御部は、片面印刷済みの印刷媒体の他方の面を印刷する際に前記検出部で検出された面が印刷済みの面であった場合、前記印刷部による印刷を中止するよう制御することを特徴とする請求項１または２に記載の印刷装置。
【請求項４】
表示部をさらに備え、
前記制御部は、片面印刷済みの印刷媒体の他方の面を印刷する際に前記検出部で検出された面が印刷済みの面であった場合、前記印刷部による印刷を中止するよう制御するとともに、片面印刷済みの印刷媒体が前記媒体供給部に上下逆にセットされていることを示す警告画面を前記表示部に表示するよう制御することを特徴とする請求項３に記載の印刷装置。
【発明の詳細な説明】
【技術分野】
【０００１】
本発明は、印刷媒体に印刷を行う印刷装置に関する。
【背景技術】
【０００２】
印刷装置において、媒体供給部から所定数の印刷媒体を順次供給して一方の面に印刷して排出した後、ユーザの手によって媒体供給部に再度搬入された片面印刷済みの所定数の印刷媒体の他方の面（未印刷面）に印刷することで両面印刷を行うことがある。以下、このような両面印刷を、手動両面印刷とよぶ。
【０００３】
印刷装置で複数の印刷媒体に対して手動両面印刷が行われる場合において、印刷媒体ごとに異なる印刷内容（画像）が印刷されることがある。例えば、印刷媒体として封筒が用いられる場合、表面には封筒ごとに異なる宛名等が印刷される。また、封筒の裏面には差出人名等が印刷されるが、表面の宛名等に応じて、裏面にも封筒ごとに異なる情報が印刷されることがある。
【０００４】
ところで、印刷装置における印刷媒体の排出手段として、印刷した印刷媒体の印刷面を上にして排出するフェイスアップ排出部と、印刷媒体の印刷面を下にして排出するフェイスダウン排出部との２種類がある。複数の印刷媒体に対して印刷を行う場合、フェイスアップ排出部では、印刷面が上向きの状態で、排紙台に次々に印刷媒体が積み重ねられる。一方、フェイスダウン排出部では、印刷面が下向きの状態で、排紙台に次々に印刷媒体が積み重ねられる。
【０００５】
また、印刷装置における印刷媒体の供給手段として、積み重ねられた印刷媒体の上側から取り出す構成と、下側から取り出す構成とがある。
【０００６】
片面印刷では媒体供給部に上向きにセットされた面に印刷を行う構成の印刷装置において手動両面印刷を行う場合、ユーザが、排出されて積み重ねられた片面印刷済みの印刷媒体の未印刷面を上にして、媒体供給部に再度搬入する。先に印刷される面の印刷時の排出先がフェイスダウン排出部であった場合、片面印刷済みの印刷媒体は、印刷順に下側から積み重ねられている。この場合、媒体供給部が上側から印刷媒体を取り出す構成であれば、後に印刷される面の印刷時は、先に印刷される面の印刷時とは、印刷される印刷媒体の順序が逆になる。したがって、印刷媒体ごとに印刷内容が異なる場合、フェイスダウン排出部に積載された片面印刷済みの印刷媒体をユーザが並べ替える作業を行ってから媒体供給部に再度搬入しなければ、印刷物の表面と裏面の印刷内容の整合がとれない。
【０００７】
このように、印刷装置で手動両面印刷を行う場合、使用される排出手段および供給手段の種類によって、ユーザが印刷物の表面と裏面の印刷内容の整合を取るための作業を行わなければ適切な印刷物が得られないことがあった。
【０００８】
特許文献１には、両面印刷において、印刷媒体の表裏を検出し、その検出結果に基づいて、それぞれの面に合った画像を印刷する印刷装置が提案されている。
【先行技術文献】
【特許文献】
【０００９】
【特許文献１】特開２００４−９８４０６号公報
【発明の概要】
【発明が解決しようとする課題】
【００１０】
特許文献１に記載の技術では、各印刷媒体に対する表面と裏面の印刷画像の対応については考慮されていない。このため、特許文献１に記載の技術を用いても、手動両面印刷を行う場合は、ユーザが意識的に印刷物の表面と裏面の印刷内容の整合を取るための作業を行わなければならないことがあった。
【００１１】
本発明は上記に鑑みてなされたもので、ユーザの特別な作業を必要とせず、表面と裏面の印刷内容が適切な印刷物を得ることができる印刷装置を提供することを目的とする。
【課題を解決するための手段】
【００１２】
上記目的を達成するため、本発明に係る印刷装置の第１の特徴は、印刷媒体に印刷を行う印刷部と、前記印刷部に印刷媒体を供給する媒体供給部と、印刷媒体の前記印刷部により印刷される面を検出する検出部と、前記印刷部により印刷された印刷媒体を印刷面が上向きの状態で排出して積載する第１の排出部と、前記印刷部により印刷された印刷媒体を印刷面が下向きの状態で排出して積載する第２の排出部と、両面印刷において、前記媒体供給部から所定数の印刷媒体を順次供給させて印刷媒体の一方の面に前記印刷部により印刷させ、前記第１および第２の排出部のうちの一方である指定排出部に排出させた後、前記媒体供給部に再度搬入される片面印刷済みの所定数の印刷媒体を順次供給させて他方の面に前記印刷部により印刷させる制御部とを備え、前記制御部は、印刷媒体の一方の面を印刷する際に前記検出部により検出された面が印刷媒体の表面および裏面のいずれであるか、および、前記指定排出部が前記第１および第２の排出部のいずれであるかに基づいて、各印刷媒体の一方の面および他方の面に印刷する画像データを決定することにある。
【００１３】
本発明に係る印刷装置の第２の特徴は、前記媒体供給部は、積み重ねられた印刷媒体を上側から取り出す第１の供給部と、印刷媒体を下側から取り出す第２の供給部とを有し、前記制御部は、両面印刷において、他方の面の印刷時は、前記第１および第２の供給部のうちの一方である指定供給部から所定数の印刷媒体を順次供給させ、各印刷媒体の一方の面および他方の面の印刷に用いる画像データを、印刷媒体の一方の面を印刷する際に前記検出部により検出された面が印刷媒体の表面および裏面のいずれであるか、前記指定供給部が前記第１および第２の供給部のいずれであるか、および、前記指定排出部が前記第１および第２の排出部のいずれであるかに基づいて決定することにある。
【００１４】
本発明に係る印刷装置の第３の特徴は、前記制御部は、片面印刷済みの印刷媒体の他方の面を印刷する際に前記検出部で検出された面が印刷済みの面であった場合、前記印刷部による印刷を中止するよう制御することにある。
【００１５】
本発明に係る印刷装置の第４の特徴は、表示部をさらに備え、前記制御部は、片面印刷済みの印刷媒体の他方の面を印刷する際に前記検出部で検出された面が印刷済みの面であった場合、前記印刷部による印刷を中止するよう制御するとともに、片面印刷済みの印刷媒体が前記媒体供給部に上下逆にセットされていることを示す警告画面を前記表示部に表示するよう制御することにある。
【発明の効果】
【００１６】
本発明に係る印刷装置の第１の特徴によれば、印刷媒体の排出先に応じて、両面印刷において各印刷媒体の各面の印刷に用いる画像データを決定することで、ユーザの特別な作業を必要とせず、表面と裏面の印刷内容が適切な印刷物を得ることができる。
【００１７】
本発明に係る印刷装置の第２の特徴によれば、指定供給部が第１および第２の供給部のいずれであるかも考慮して、各印刷媒体の各面の印刷に用いる画像データを決定する。これにより、媒体供給部が第１および第２の供給部を有する印刷装置においても、ユーザの特別な作業を必要とせず、表面と裏面の印刷内容が適切な印刷物を得ることができる。
【００１８】
本発明に係る印刷装置の第３の特徴によれば、片面印刷済みの印刷媒体を印刷する際に、印刷される面が印刷済みの面であることを検出すると印刷を中止するので、誤印刷を防止できる。
【００１９】
本発明に係る印刷装置の第４の特徴によれば、片面印刷済みの印刷媒体が媒体供給部に上下逆にセットされていることを示す警告画面を表示部に表示するので、ユーザに印刷媒体のセットの誤りを容易に認識させることができる。
【図面の簡単な説明】
【００２０】
【図１】実施の形態に係る印刷装置の概略構成図である。
【図２】図１に示す印刷装置の制御系の構成を示すブロック図である。
【図３】手動両面印刷における印刷媒体の供給元および排出先と、画像の印刷順との関係を説明するための図である。
【図４】手動両面印刷における印刷媒体の供給元および排出先と、画像の印刷順との関係を説明するための図である。
【図５】手動両面印刷における印刷媒体の供給元および排出先と、画像の印刷順との関係を説明するための図である。
【図６】手動両面印刷における印刷媒体の供給元および排出先と、画像の印刷順との関係を説明するための図である。
【図７】手動両面印刷における印刷媒体の供給元および排出先と、画像の印刷順との関係を示す表である。
【図８】図１に示す印刷装置で手動両面印刷を行う動作を説明するためのフローチャートである。
【図９】図１に示す印刷装置で手動両面印刷を行う動作を説明するためのフローチャートである。
【図１０】図１に示す印刷装置で手動両面印刷を行う動作を説明するためのフローチャートである。
【図１１】画像データの並べ替えの説明図である。
【図１２】通知画面の一例を示す図である。
【図１３】警告画面の一例を示す図である。
【図１４】画像データの並べ替えの説明図である。
【発明を実施するための形態】
【００２１】
以下、本発明の実施の形態について、図面を参照して説明する。各図面を通じて同一もしくは同等の部位や構成要素には、同一もしくは同等の符号を付している。ただし、図面は模式的なものであり、現実のものとは異なることに留意すべきである。
【００２２】
また、以下に示す実施の形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００２３】
図１は、本発明の実施の形態に係る印刷装置の概略構成図である。図１に示すように、印刷装置１は、給紙部２と、印刷部３と、フェイスアップ排紙部４と、上面搬送部５と、フェイスダウン排紙部６と、反転部７とを備える。
【００２４】
なお、図１において太線で示す経路が、印刷媒体が搬送される搬送経路である。搬送経路のうち、実線で示す経路が通常経路ＲＣ、一点鎖線で示す経路が反転経路ＲＲ、破線で示す経路が排紙経路ＲＤ１，ＲＤ２、二点鎖線で示す経路が給紙経路ＲＳである。以下の説明における上流、下流は、搬送経路上の搬送方向における上流、下流を意味する。また、以下の説明における上下方向、左右方向は、図１において示す上下方向、左右方向を示すものとする。
【００２５】
給紙部２は、印刷部３に印刷媒体を供給する。給紙部２は、搬送経路の最も上流側に設けられる。給紙部２は、上面給紙部２１と、下面給紙部２２とを備える。給紙部２は、請求項の媒体供給部に相当する。
【００２６】
上面給紙部２１は、積み重ねられた印刷媒体を上側から取り出し、印刷部３に供給する。上面給紙部２１は、請求項の第１の供給部に相当する。上面給紙部２１は、上面給紙台２１１と、上面給紙ローラ２１２とを備える。
【００２７】
上面給紙台２１１は、印刷媒体を積載するためのものである。上面給紙台２１１には、印刷用紙のほか、封筒等の各種の印刷媒体が積載可能である。
【００２８】
上面給紙ローラ２１２は、上面給紙台２１１の上方に設けられる。上面給紙ローラ２１２は、上面給紙台２１１上に積み重ねられた印刷媒体を上側から１枚ずつ取り出し、印刷部３に供給する。
【００２９】
下面給紙部２２は、積み重ねられた印刷媒体を下側から取り出し、印刷部３に供給する。下面給紙部２２は、請求項の第２の供給部に相当する。下面給紙部２２は、下面給紙台２２１と、下面給紙ローラ２２２と、複数対の縦搬送ローラ２２３とを備える。
【００３０】
下面給紙台２２１は、印刷媒体を積載するためのものである。下面給紙台２２１には、印刷用紙のほか、封筒等の各種の印刷媒体が積載可能である。
【００３１】
下面給紙ローラ２２２は、下面給紙台２２１の下部に設けられる。下面給紙ローラ２２２は、下面給紙台２２１に積み重ねられた印刷媒体を下側から１枚ずつ取り出し、給紙経路ＲＳに送り出す。
【００３２】
複数対の縦搬送ローラ２２３は、下面給紙台２２１と印刷部３との間の給紙経路ＲＳに沿って配置されている。複数対の縦搬送ローラ２２３は、下面給紙台２２１から取り出された印刷媒体を給紙経路ＲＳに沿って搬送し、印刷部３に供給する。
【００３３】
なお、給紙部２は、１つの給紙台の上下に上面給紙ローラ２１２、下面給紙ローラ２２２を設け、積み重ねられた印刷媒体を上側および下側の両方から取り出すことが可能な構成でもよい。
【００３４】
印刷部３は、印刷媒体を搬送しつつ、印刷媒体に画像を印刷する。印刷部３は、給紙部２の下流側に配置されている。印刷部３は、レジストローラ３１と、ベルト搬送部３２と、インクジェットヘッド部３３と、センサ３４とを備える。
【００３５】
レジストローラ３１は、給紙部２または反転部７から搬送されてきた印刷媒体を所定のタイミングで下流側のベルト搬送部３２へと送り出す。レジストローラ３１は、給紙経路ＲＳと反転経路ＲＲとの合流地点の近傍に配置されている。
【００３６】
ベルト搬送部３２は、レジストローラ３１の下流側に設けられている。ベルト搬送部３２は、インクジェットヘッド部３３に対向して設けられた環状の搬送ベルト３２１と、搬送ベルト３２１を周回駆動させるベルト駆動ローラ３２２と、ベルト駆動ローラ３２２に従動する従動ローラ３２３〜３２５とを備える。搬送ベルト３２１は、多数の穴が空けられた無端ベルトからなり、図示しない吸引ファンにより穴から空気が吸引されることにより発生する負圧で印刷媒体を吸着保持して搬送する。
【００３７】
インクジェットヘッド部３３は、ベルト搬送部３２の上方に配置され、印刷媒体の搬送方向と直交する方向に複数のノズルが配列されたラインタイプの複数のインクジェットヘッドを有する。インクジェットヘッド部３３は、ベルト搬送部３２により搬送される印刷媒体の上向きの面にインクジェットヘッドからインクを吐出して画像を印刷する。
【００３８】
センサ３４は、レジストローラ３１とインクジェットヘッド部３３との間において通常経路ＲＣの上方に配置され、搬送される印刷媒体の印刷部３により印刷される面（上向きの面）を検出する。センサ３４は、発光部と受光部とを有し、搬送される印刷媒体の上向きの面に発光部からの光を照射し、印刷媒体からの反射光を受光部で検出する。センサ３４の受光部の検出出力は、印刷媒体の上向きの面が、表面および裏面のいずれであるかを検出するために用いられる。センサ３４は、請求項の検出部に相当する。
【００３９】
フェイスアップ排紙部４は、印刷された印刷媒体を、印刷面（両面印刷の場合は後で印刷された面）が上向きの状態で排出する。フェイスアップ排紙部４は、請求項の第１の排出部に相当する。フェイスアップ排紙部４は、切替部４１と、排紙ローラ４２と、フェイスアップ排紙台４３とを備える。
【００４０】
切替部４１は、通常経路ＲＣと排紙経路ＲＤ１との分岐点に配置され、印刷媒体の搬送経路を通常経路ＲＣと排紙経路ＲＤ１との間で切り替える。排紙経路ＲＤ１は、印刷部３と上面搬送部５との境界からフェイスアップ排紙台４３に向けて延びる経路である。
【００４１】
排紙ローラ４２は、切替部４１とフェイスアップ排紙台４３との間に配置され、ベルト搬送部３２から搬送されてきた印刷媒体を排紙経路ＲＤ１に沿って搬送してフェイスアップ排紙台４３に排出する。
【００４２】
フェイスアップ排紙台４３は、ベルト搬送部３２の下流側において印刷装置１の右側に筐体から突出して設置され、排紙ローラ４２により搬送されてきた印刷済みの印刷媒体を積載する。フェイスアップ排紙台４３には、印刷面（両面印刷の場合は後で印刷された面）が上向きの状態で印刷媒体が積載される。
【００４３】
上面搬送部５は、ベルト搬送部３２によって搬送されてきた印刷媒体を右方向から左方向にＵターンするように搬送する。上面搬送部５は、複数対の上面搬送ローラ５１を備える。
【００４４】
複数対の上面搬送ローラ５１は、印刷媒体をニップして搬送する。複数対の上面搬送ローラ５１は、印刷部３とフェイスダウン排紙部６との間の通常経路ＲＣに沿って配置されている。１対の上面搬送ローラ５１は、反転経路ＲＲの上流部に配置されている。
【００４５】
フェイスダウン排紙部６は、印刷済みの印刷媒体を、印刷面（両面印刷の場合は後で印刷された面）が下向きの状態で排出する。フェイスダウン排紙部６は、請求項の第２の排出部に相当する。フェイスダウン排紙部６は、切替部６１と、排紙ローラ６２と、フェイスダウン排紙台６３とを備える。
【００４６】
切替部６１は、排紙経路ＲＤ２と反転経路ＲＲとの分岐点に配置され、印刷媒体の搬送経路を排紙経路ＲＤ２と反転経路ＲＲとの間で切り替える。排紙経路ＲＤ２は、通常経路ＲＣの下流側の端部からフェイスダウン排紙台６３に向けて延びる経路である。
【００４７】
排紙ローラ６２は、切替部６１とフェイスダウン排紙台６３との間に配置され、上面搬送部５により搬送されてきた印刷媒体を排紙経路ＲＤ２に沿って搬送してフェイスダウン排紙台６３に排出する。
【００４８】
フェイスダウン排紙台６３は、印刷装置１の左側に筐体から突出したトレイ形状を有し、傾斜して設置されている。フェイスダウン排紙台６３は、排紙ローラ６２により搬送されてきた印刷媒体を積載するものであり、傾斜の下位置に形成された壁により、傾斜に沿って滑落する印刷媒体が自然に整えられて重なっていくようになっている。フェイスダウン排紙台６３には、印刷面（両面印刷の場合は後で印刷された面）が下向きの状態で印刷媒体が積載される。
【００４９】
反転部７は、両面印刷の際に、片面印刷済みの印刷媒体を印刷部３に再給紙するために、片面印刷済みの印刷媒体を反転させてレジストローラ３１に搬送するものである。反転部７は、反転ローラ７１と、スイッチバック部７２と、再給紙ローラ７３と、切替ゲート７４とを備える。
【００５０】
反転ローラ７１は、上面搬送部５により搬送されてきた印刷媒体をスイッチバック部７２に一時的に搬入した後に搬出して、再給紙ローラ７３へと搬送する。反転ローラ７１は、反転経路ＲＲ上において、上面搬送ローラ５１とスイッチバック部７２の搬入口との間に配置されている。
【００５１】
スイッチバック部７２は、反転ローラ７１が印刷媒体を一時的に搬入するための空間である。スイッチバック部７２は、フェイスダウン排紙台６３の下部に形成された空間からなる。スイッチバック部７２は、反転ローラ７１の近傍が印刷媒体を搬入するために開口されている。
【００５２】
再給紙ローラ７３は、反転ローラ７１により搬送されてきた印刷媒体をレジストローラ３１へと搬送する。再給紙ローラ７３は、反転ローラ７１とレジストローラ３１との間の反転経路ＲＲ上に配置されている。
【００５３】
切替ゲート７４は、上面搬送ローラ５１によって搬送されてきた印刷媒体を反転ローラ７１へとガイドする。また、切替ゲート７４は、反転ローラ７１によってスイッチバック部７２から搬出される印刷媒体を再給紙ローラ７３へとガイドする。切替ゲート７４は、最も下流側の上面搬送ローラ５１、反転ローラ７１、および再給紙ローラ７３の３個所の重心近傍に配置されている。
【００５４】
図２は、印刷装置１の制御系の構成を示すブロック図である。図２に示すように、印刷装置１は、通信部８０と、画像処理部８１と、ヘッド駆動部８２と、操作パネル部８３と、上面給紙駆動部８４と、下面給紙駆動部８５と、レジスト駆動部８６と、ベルト駆動部８７と、フェイスアップ排紙駆動部８８と、上面搬送駆動部８９と、フェイスダウン排紙駆動部９０と、反転駆動部９１と、再給紙駆動部９２と、切替駆動部９３，９４と、搬送駆動制御部９５と、制御部９６とを備える。
【００５５】
通信部８０は、外部のＰＣ（パーソナルコンピュータ）等からページ記述言語（ＰＤＬ：Page Description Language）で示された印刷データを受信する。
【００５６】
画像処理部８１は、ＰＤＬ形式の印刷データを画像展開し、画像展開して得られた画像データに所定の画像処理を施し、ヘッド駆動部８２で解釈可能な画像データを生成する。
【００５７】
ヘッド駆動部８２は、インクジェットヘッド部３３のインクジェットヘッドを駆動してインクを吐出させる。
【００５８】
操作パネル部８３は、ユーザが各種操作を行うための操作ボタンおよびタッチパネル等を有する入力部８３１と、各種の情報を表示する液晶表示パネル等を有する表示部８３２とを備える。入力部８３１は、ユーザによる入力操作を受け付け、操作に応じた操作信号を出力する。
【００５９】
上面給紙駆動部８４は、モータを有し、上面給紙部２１の上面給紙ローラ２１２を回転駆動させる。
【００６０】
下面給紙駆動部８５は、モータを有し、下面給紙部２２の下面給紙ローラ２２２を回転駆動させる。
【００６１】
レジスト駆動部８６は、モータを有し、印刷部３のレジストローラ３１を回転駆動させる。
【００６２】
ベルト駆動部８７は、モータを有し、印刷部３のベルト搬送部３２のベルト駆動ローラ３２２を回転駆動させる。
【００６３】
フェイスアップ排紙駆動部８８は、モータを有し、フェイスアップ排紙部４の排紙ローラ４２を回転駆動させる。
【００６４】
上面搬送駆動部８９は、モータを有し、上面搬送部５の各上面搬送ローラ５１を回転駆動させる。
【００６５】
フェイスダウン排紙駆動部９０は、モータを有し、フェイスダウン排紙部６の排紙ローラ６２を回転駆動させる。
【００６６】
反転駆動部９１は、モータを有し、反転部７の反転ローラ７１を回転駆動させる。
【００６７】
再給紙駆動部９２は、モータを有し、反転部７の再給紙ローラ７３を回転駆動させる。
【００６８】
切替駆動部９３，９４は、ソレノイドを有し、フェイスアップ排紙部４の切替部４１、フェイスダウン排紙部６の切替部６１をそれぞれ駆動させる。
【００６９】
搬送駆動制御部９５は、ＣＰＵ等を有し、制御部９６の制御の下、上面給紙駆動部８４〜切替駆動部９４の各駆動部を駆動させる。
【００７０】
制御部９６は、ＣＰＵ、メモリ等を備えて構成され、ＣＰＵがプログラムに応じた処理を行うことによって、印刷装置１全体の動作を統括的に制御するものである。
【００７１】
印刷装置１では、反転部７を用いた自動両面印刷が可能である。自動両面印刷では、制御部９６は、印刷部３で第１面（両面印刷において先に印刷される面）を印刷させた印刷媒体を上面搬送部５により反転部７まで搬送させ、反転部７により印刷媒体を上下反転させて未印刷面を上に向けて印刷部３に再給紙させる。そして、制御部９６は、印刷部３で印刷媒体に第２面（両面印刷において後に印刷される面）を印刷させ、フェイスアップ排紙部４またはフェイスダウン排紙部６により両面印刷済みの印刷媒体を排出させる。
【００７２】
しかし、印刷装置１において、使用する印刷媒体によっては、自動両面印刷ができないことがある。例えば、印刷媒体として封筒を用いる場合に、その種類によって、自動両面印刷ができないことがある。印刷装置１で自動両面印刷が不可能な印刷媒体を用いて両面印刷を行う場合、前述した手動両面印刷が行われる。
【００７３】
手動両面印刷を行う場合、制御部９６は、上面給紙部２１または下面給紙部２２から所定数の印刷媒体を順次供給させて各印刷媒体の第１面に印刷部３により印刷させる。そして、制御部９６は、片面印刷済みの印刷媒体を、フェイスアップ排紙部４およびフェイスダウン排紙部６のうち排出先として指定された指定排出部に排出させる。ここで、ユーザが、排出されて積み重ねられた所定数の片面印刷済みの印刷媒体の未印刷面を上にして、上面給紙部２１および下面給紙部２２のうち印刷媒体の供給元として指定した指定供給部に再度搬入する。その後、制御部９６は、指定供給部である上面給紙部２１または下面給紙部２２から所定数の片面印刷済みの印刷媒体を順次供給させて各印刷媒体の第２面に印刷部３により印刷させる。そして、制御部９６は、両面印刷済みの印刷媒体を、フェイスアップ排紙部４またはフェイスダウン排紙部６に排出させる。
【００７４】
上記指定供給部および指定排出部は、例えば、外部のＰＣ等から送信される印刷データに含まれる設定情報により指定される。第１面印刷時の印刷媒体の供給元（上面給紙部２１または下面給紙部２２）と、第２面印刷時の供給元とは同じでなくてもよい。また、第１面印刷後の印刷媒体の排出先（フェイスアップ排紙部４またはフェイスダウン排紙部６）と、第２面印刷後（両面印刷後）の排出先とは同じでなくてもよい。ただし、第１面印刷後の印刷媒体の排出先、および、第２面印刷時の印刷媒体の供給元は、それぞれユーザに指定された指定排出部、指定供給部とする。
【００７５】
手動両面印刷において、制御部９６は、第１面の印刷時における最初の印刷媒体の印刷の際にセンサ３４により検出された印刷媒体の面（上向きの面）が、印刷媒体の表面および裏面のいずれであるかを判断する。印刷媒体には表裏の区別があるものとする。例えば、印刷媒体として封筒を用いる場合に、制御部９６は、センサ３４の検出出力に基づき、各封筒の表裏いずれかの面に予め印刷されている画像等（会社のロゴマーク等）を検出することにより、封筒の表裏を判断する。
【００７６】
本実施の形態において、上面給紙台２１１、下面給紙台２２１に積載される各印刷媒体は、上下左右の向きが同じに整えられているものとする。制御部９６は、第１面の印刷時における最初の印刷媒体の上向きの面の検出結果により、上面給紙台２１１、下面給紙台２２１に積載された各印刷媒体の上向きの面が表面および裏面のいずれであるかを判断する。
【００７７】
本実施の形態では、表面および裏面に印刷する画像は、印刷媒体ごとに異なるものとする。制御部９６は、第１面の印刷時における印刷媒体の上向きの面が印刷媒体の表面および裏面のいずれであるか、指定供給部が上面給紙部２１および下面給紙部２２のいずれであるか、および、指定排出部がフェイスアップ排紙部４およびフェイスダウン排紙部６のいずれであるかに基づいて、画像データの印刷順の並べ替えを行い、各印刷媒体の第１面および第２面の印刷に用いる画像データを決定する。これにより、制御部９６は、各印刷媒体の表面と裏面の印刷内容の整合をとる。
【００７８】
ここで、手動両面印刷における、印刷媒体の供給元および排出先と、画像の印刷順との関係について説明する。また、以下の説明においては、第１面印刷時の印刷媒体の供給元と、第２面印刷時の供給元とは同じであり、ユーザにより指定された指定供給部（上面給紙部２１または下面給紙部２２）であるものとする。また、第１面印刷後の印刷媒体の排出先と、第２面印刷後（両面印刷後）の排出先とは同じであり、ユーザにより指定された指定排出部（フェイスアップ排紙部４またはフェイスダウン排紙部６）であるものとする。
【００７９】
図３は、印刷媒体の供給元が上面給紙部２１で、第１面が印刷媒体の表面である場合の、第１面印刷後の排出先での印刷媒体の積載結果を示す図である。
【００８０】
図３において、印刷媒体Ｐ１〜ＰＮは、表面を上にして上面給紙台２１１に積載されている。上面給紙台２１１に積載された印刷媒体を、上側から印刷媒体Ｐ１→印刷媒体ＰＮとする。第１面印刷時、印刷媒体Ｐ１〜ＰＮは、上面給紙ローラ２１２により上側から順次、印刷媒体Ｐ１→印刷媒体ＰＮの順で印刷部３に向けて送り出され、各印刷媒体Ｐ１〜ＰＮの表面に、表面用の画像が印刷される。
【００８１】
排出先がフェイスアップ排紙部４である場合、表面印刷済みの印刷媒体Ｐ１〜ＰＮは、印刷された表面が上向きの状態で、下側から順にフェイスアップ排紙台４３上に積み重ねられる。この場合、その後の第２面印刷時には、フェイスアップ排紙台４３上の印刷媒体Ｐ１〜ＰＮは、ユーザにより上下反転されて、未印刷面である裏面が上向きの状態で、上面給紙台２１１に再度セットされる。このとき、印刷媒体Ｐ１が一番上にあり、第２面印刷時は、印刷媒体Ｐ１→印刷媒体ＰＮの順で、各印刷媒体Ｐ１〜ＰＮの裏面に、裏面用の画像が印刷される。つまり、この場合、印刷媒体Ｐ１〜ＰＮには、第２面（裏面）も第１面（表面）と同順で印刷が行われる。
【００８２】
一方、排出先がフェイスダウン排紙部６である場合、表面印刷済みの印刷媒体Ｐ１〜ＰＮは、印刷された表面が下向きの状態（未印刷面である裏面が上向きの状態）で、下側から順にフェイスダウン排紙台６３上に積み重ねられる。なお、図３中の印刷媒体内の反転した文字は、下向きの面に印刷されていることを示す。この場合、その後の第２面印刷時には、フェイスダウン排紙台６３上の印刷媒体Ｐ１〜ＰＮは、ユーザにより、上下の向きを変えずに未印刷面である裏面が上向きの状態で、上面給紙台２１１に再度セットされる。このとき、印刷媒体ＰＮが一番上にあり、第２面印刷時は、印刷媒体ＰＮ→印刷媒体Ｐ１の順で、各印刷媒体Ｐ１〜ＰＮの裏面、裏面用の画像が印刷される。つまり、この場合、印刷媒体Ｐ１〜ＰＮには、第２面（裏面）は第１面（表面）と逆順で印刷が行われる。
【００８３】
図４は、印刷媒体の供給元が上面給紙部２１で、第１面が印刷媒体の裏面である場合の、第１面印刷後の排出先での印刷媒体の積載結果を示す図である。
【００８４】
図４において、印刷媒体Ｐ１〜ＰＮは、裏面を上にして上面給紙台２１１に積載されている。上面給紙台２１１に積載された印刷媒体を、上側から印刷媒体Ｐ１→印刷媒体ＰＮとする。第１面印刷時、印刷媒体Ｐ１〜ＰＮは、上面給紙ローラ２１２により上側から順次、印刷媒体Ｐ１→印刷媒体ＰＮの順で印刷部３に向けて送り出され、各印刷媒体Ｐ１〜ＰＮの裏面に、裏面用の画像が印刷される。
【００８５】
排出先がフェイスアップ排紙部４である場合、裏面印刷済みの印刷媒体Ｐ１〜ＰＮは、印刷された裏面が上向きの状態で、下側から順にフェイスアップ排紙台４３上に積み重ねられる。この場合、その後の第２面印刷時には、フェイスアップ排紙台４３上の印刷媒体Ｐ１〜ＰＮは、ユーザにより上下反転されて、未印刷面である表面が上向きの状態で、上面給紙台２１１に再度セットされる。このとき、印刷媒体Ｐ１が一番上にあり、第２面印刷時は、印刷媒体Ｐ１→印刷媒体ＰＮの順で、各印刷媒体Ｐ１〜ＰＮの表面に、表面用の画像が印刷される。つまり、この場合、印刷媒体Ｐ１〜ＰＮには、第２面（表面）も第１面（裏面）と同順で印刷が行われる。
【００８６】
一方、排出先がフェイスダウン排紙部６である場合、裏面印刷済みの印刷媒体Ｐ１〜ＰＮは、印刷された裏面が下向きの状態（未印刷面である表面が上向きの状態）で、下側から順にフェイスダウン排紙台６３上に積み重ねられる。この場合、その後の第２面印刷時には、フェイスダウン排紙台６３上の印刷媒体Ｐ１〜ＰＮは、ユーザにより、上下の向きを変えずに未印刷面である表面が上向きの状態で、上面給紙台２１１に再度セットされる。このとき、印刷媒体ＰＮが一番上にあり、第２面印刷時は、印刷媒体ＰＮ→印刷媒体Ｐ１の順で、各印刷媒体Ｐ１〜ＰＮの表面に、表面用の画像が印刷される。つまり、この場合、印刷媒体Ｐ１〜ＰＮには、第２面（表面）は第１面（裏面）と逆順で印刷が行われる。
【００８７】
図５は、印刷媒体の供給元が下面給紙部２２で、第１面が印刷媒体の表面である場合の、第１面印刷後の排出先での印刷媒体の積載結果を示す図である。
【００８８】
図５において、印刷媒体Ｐ１〜ＰＮは、表面を上にして下面給紙台２２１に積載されている。下面給紙台２２１に積載された印刷媒体を、下側から印刷媒体Ｐ１→印刷媒体ＰＮとする。第１面印刷時、印刷媒体Ｐ１〜ＰＮは、下面給紙ローラ２２２により下側から順次、印刷媒体Ｐ１→印刷媒体ＰＮの順で印刷部３に向けて送り出され、印刷媒体Ｐ１〜ＰＮの表面に、表面用の画像が印刷される。
【００８９】
排出先がフェイスアップ排紙部４である場合、表面印刷済みの印刷媒体Ｐ１〜ＰＮは、印刷された表面が上向きの状態で、下側から順にフェイスアップ排紙台４３上に積み重ねられる。この場合、その後の第２面印刷時には、フェイスアップ排紙台４３上の印刷媒体Ｐ１〜ＰＮは、ユーザにより上下反転されて、未印刷面である裏面が上向きの状態で、下面給紙台２２１に再度セットされる。このとき、印刷媒体ＰＮが一番下にあり、第２面印刷時は、印刷媒体ＰＮ→印刷媒体Ｐ１の順で、各印刷媒体Ｐ１〜ＰＮの裏面に、表面用の画像が印刷される。つまり、この場合、印刷媒体Ｐ１〜ＰＮには、第２面（裏面）は第１面（表面）と逆順で印刷が行われる。
【００９０】
一方、排出先がフェイスダウン排紙部６である場合、表面印刷済みの印刷媒体Ｐ１〜ＰＮは、印刷された表面が下向きの状態（未印刷面である裏面が上向きの状態）で、下側から順にフェイスダウン排紙台６３上に積み重ねられる。この場合、その後の第２面印刷時には、フェイスダウン排紙台６３上の印刷媒体Ｐ１〜ＰＮは、ユーザにより、上下の向きを変えずに未印刷面である裏面が上向きの状態で、下面給紙台２２１に再度セットされる。このとき、印刷媒体Ｐ１が一番下にあり、第２面印刷時は、印刷媒体Ｐ１→印刷媒体ＰＮの順で、各印刷媒体Ｐ１〜ＰＮの裏面に、裏面用の画像が印刷される。つまり、この場合、印刷媒体Ｐ１〜ＰＮには、第２面（裏面）も第１面（表面）と同順で印刷が行われる。
【００９１】
図６は、印刷媒体の供給元が下面給紙部２２で、第１面が印刷媒体の裏面である場合の、第１面印刷後の排出先での印刷媒体の積載結果を示す図である。
【００９２】
図６において、印刷媒体Ｐ１〜ＰＮは、裏面を上にして下面給紙台２２１に積載されている。下面給紙台２２１に積載された印刷媒体を、下側から印刷媒体Ｐ１→印刷媒体ＰＮとする。第１面印刷時、印刷媒体Ｐ１〜ＰＮは、下面給紙ローラ２２２により下側から順次、印刷媒体Ｐ１→印刷媒体ＰＮの順で印刷部３に向けて送り出され、各印刷媒体Ｐ１〜ＰＮの裏面に、裏面用の画像が印刷される。
【００９３】
排出先がフェイスアップ排紙部４である場合、裏面印刷済みの印刷媒体Ｐ１〜ＰＮは、印刷された裏面が上向きの状態で、下側から順にフェイスアップ排紙台４３上に積み重ねられる。この場合、その後の第２面印刷時には、フェイスアップ排紙台４３上の印刷媒体Ｐ１〜ＰＮは、ユーザにより上下反転されて、未印刷面である表面が上向きの状態で、下面給紙台２２１に再度セットされる。このとき、印刷媒体ＰＮが一番下にあり、第２面印刷時は、印刷媒体ＰＮ→印刷媒体Ｐ１の順で、各印刷媒体Ｐ１〜ＰＮの表面に、表面用の画像が印刷される。つまり、この場合、印刷媒体Ｐ１〜ＰＮには、第２面（裏面）は第１面（表面）と逆順で印刷が行われる。
【００９４】
一方、排出先がフェイスダウン排紙部６である場合、裏面印刷済みの印刷媒体Ｐ１〜ＰＮは、印刷された裏面が下向きの状態（未印刷面である表面が上向きの状態）で、下側から順にフェイスダウン排紙台６３上に積み重ねられる。この場合、その後の第２面印刷時には、フェイスダウン排紙台６３上の印刷媒体Ｐ１〜ＰＮは、ユーザにより、上下の向きを変えずに未印刷面である表面が上向きの状態で、下面給紙台２２１に再度セットされる。このとき、印刷媒体Ｐ１が一番下にあり、第２面印刷時は、印刷媒体Ｐ１→印刷媒体ＰＮの順で、各印刷媒体Ｐ１〜ＰＮの表面に、表面用の画像が印刷される。つまり、この場合、印刷媒体Ｐ１〜ＰＮには、第２面（裏面）も第１面（表面）と同順で印刷が行われる。
【００９５】
以上の図３〜図６を用いて説明した内容をまとめると、図７の表のようになる。
【００９６】
次に、印刷装置１における手動両面印刷の動作について説明する。
【００９７】
外部のＰＣ等から印刷データを受信すると、画像処理部８１は、印刷データから設定情報を分離する。そして、画像処理部８１は、印刷データを画像展開し、画像展開して得られた画像データに所定の画像処理を施し、ヘッド駆動部８２で解釈可能な画像データを生成する。画像処理部８１は、設定情報と、画像処理後の画像データとを、制御部９６に出力する。制御部９６は、設定情報に手動両面印刷ＯＮ情報が含まれていた場合、手動両面印刷の処理を実行する。
【００９８】
図８〜図１０は、印刷装置１で手動両面印刷を行う動作を説明するためのフローチャートである。
【００９９】
まず、ステップＳ１０において、制御部９６は、設定情報に含まれる供給元設定情報が示す指定供給部である上面給紙部２１または下面給紙部２２から印刷媒体の供給を開始させる。以降、印刷データにより指定される印刷枚数に応じて、所定の時間間隔で所定数の印刷媒体が１枚ずつ順次供給される。
【０１００】
次いで、ステップＳ２０において、制御部９６は、最初に供給された印刷媒体を検出したセンサ３４の検出出力に基づき、印刷媒体の上向きの面が、表面であるか否かを判断する。制御部９６は、表面であると判断した場合（ステップＳ２０：ＹＥＳ）、ステップＳ３０に進み、裏面であると判断した場合（ステップＳ２０：ＮＯ）、図１０のステップＳ１９０に進む。
【０１０１】
ステップＳ３０では、制御部９６は、画像処理部８１から入力された元の画像データから表面用の画像データを取り出し、第１面の印刷用として用意する。
【０１０２】
図１１（ａ）に示すように、画像処理部８１から制御部９６に入力される両面印刷用の元の画像データにおいては、各印刷媒体の表面用の画像データＦＤ１，ＦＤ２，…，ＦＤＮと、裏面用の画像データＲＤ１，ＲＤ２，…，ＲＤＮとが交互に並んでいる。表面用の画像データＦＤｎ（ｎ＝１，２，…，Ｎ）と裏面用の画像データＲＤｎとが、ｎ枚目に印刷される印刷媒体の表面と裏面とに対応し、順次印刷されるように、図１１（ａ）のように並べられている。ステップＳ３０では、制御部９６は、図１１（ｂ）に示すように、表面用の画像データＦＤｎを取り出し、ＦＤ１→ＦＤＮの印刷順に並べる。
【０１０３】
次いで、ステップＳ４０において、制御部９６は、指定供給部は上面給紙部２１であるか否かを判断する。
【０１０４】
指定供給部が上面給紙部２１であると判断した場合（ステップＳ４０：ＹＥＳ）、ステップＳ５０において、制御部９６は、設定情報に含まれる排出先設定情報に基づき、指定排出部がフェイスアップ排紙部４であるか否かを判断する。
【０１０５】
指定排出部がフェイスアップ排紙部４であると判断した場合（ステップＳ５０：ＹＥＳ）、ステップＳ６０において、制御部９６は、第２面の印刷用として、印刷順を、第１面の印刷用の、表面用の画像データＦＤｎと同順とした裏面用の画像データＲＤｎを用意する。すなわち、制御部９６は、図１１（ｃ）に示すように、裏面用の画像データＲＤｎを、ＲＤ１→ＲＤＮの印刷順となるように並べて用意する。その後、制御部９６は、ステップＳ９０に進む。
【０１０６】
ステップＳ５０において、指定排出部がフェイスアップ排紙部４でない、つまり、フェイスダウン排紙部６であると判断した場合（ステップＳ５０：ＮＯ）、制御部９６は、ステップＳ７０において、第２面の印刷用として、印刷順を、第１面の印刷用の、表面用の画像データＦＤｎと逆順とした裏面用の画像データＲＤｎを用意する。すなわち、制御部９６は、図１１（ｄ）に示すように、裏面用の画像データＲＤｎを、画像データＲＤＮ→画像データＲＤ１の印刷順となるように並べて用意する。その後、制御部９６は、ステップＳ９０に進む。
【０１０７】
一方、ステップＳ４０において、指定供給部が上面給紙部２１でない、つまり下面給紙部２２であると判断した場合（ステップＳ４０：ＮＯ）、ステップＳ８０において、制御部９６は、指定排出部がフェイスアップ排紙部４であるか否かを判断する。制御部９６は、指定排出部がフェイスアップ排紙部４であると判断した場合（ステップＳ８０：ＹＥＳ）、ステップＳ７０に進み、指定排出部がフェイスアップ排紙部４でない、つまり、フェイスダウン排紙部６であると判断した場合（ステップＳ８０：ＮＯ）、ステップＳ６０に進む。
【０１０８】
上記ステップＳ６０，Ｓ７０における裏面用の画像データＲＤｎの印刷順の決定は、図７に示した関係に基づくものである。これにより、制御部９６は、各印刷媒体に印刷される表面の画像と裏面の画像との整合をとることができる。
【０１０９】
ステップＳ９０では、制御部９６は、給紙部２から供給された印刷媒体をベルト搬送部３２で搬送させつつ、第１面の印刷用の画像データに基づきインクジェットヘッド部３３からインクを吐出させ、第１面の印刷を行わせる。そして、制御部９６は、片面印刷済みの印刷媒体を、指定排出部（フェイスアップ排紙部４またはフェイスダウン排紙部６）により排出させる。
【０１１０】
ステップＳ１００では、制御部９６は、第１面印刷用の全画像データの印刷が終了したか否かを判断する。制御部９６は、印刷が終了していないと判断した場合（ステップＳ１００：ＮＯ）、ステップＳ９０に戻り、全画像データの印刷が終了するまで印刷を繰り返す。ここでは、各印刷媒体に対する第１面の印刷は、ステップＳ３０で用意された表面用の画像データＦＤ１→ＦＤＮの順で行われる。
【０１１１】
印刷が終了したと判断した場合（ステップＳ１００：ＹＥＳ）、ステップＳ１１０において、制御部９６は、第１面の印刷が終了したことをユーザに通知するための通知画面を、操作パネル部８３の表示部８３２に表示させる。ここで表示される通知画面の一例を図１２に示す。
【０１１２】
図１２に示すように、通知画面１００には、第１面の印刷が終了したことをユーザに通知するとともに、指定排出部に積載された片面印刷済みの印刷媒体を指定供給部に再度搬入させ、第２面の印刷開始させるためのメッセージが表示される。なお、図１２は、指定排出部がフェイスアップ排紙部４で、指定供給部が上面給紙部２１である場合の例を示している。
【０１１３】
ユーザは、通知画面１００の指示に従って、片面印刷済みの印刷媒体を指定供給部に再度セットした後、操作パネル部８３の入力部８３１を操作することで、第２面の印刷開始を指示することができる。
【０１１４】
ステップＳ１２０では、制御部９６は、入力部８３１に対する操作により第２面の印刷開始が指示されたか否かを判断する。制御部９６は、第２面の印刷開始が指示されたと判断した場合（ステップＳ１２０：ＹＥＳ）、図９のステップＳ１３０に進み、第２面の印刷開始が指示されていないと判断した場合（ステップＳ１２０：ＮＯ）、指示されるまで待機する。
【０１１５】
図９のステップＳ１３０では、制御部９６は、指定供給部である上面給紙部２１または下面給紙部２２から片面印刷済みの印刷媒体の供給を開始させる。以降、指定供給部に積載された所定数の片面印刷済みの印刷媒体が、所定の時間間隔で１枚ずつ順次供給される。
【０１１６】
次いで、ステップＳ１４０において、制御部９６は、第２面印刷の最初に供給された印刷媒体を検出したセンサ３４の検出出力に基づき、印刷媒体の上向きの面が、印刷済みの面であるか否かを判断する。
【０１１７】
制御部９６は、印刷媒体の上向きの面が印刷済みの面であると判断した場合（ステップＳ１４０：ＹＥＳ）、ステップＳ１５０において、印刷部３による印刷を中止させる。ここで、制御部９６は、給紙部２から供給済みの印刷媒体を、印刷を行わずに印刷部３を通過させ、フェイスアップ排紙部４またはフェイスダウン排紙部６に排出させる。
【０１１８】
次いで、ステップＳ１６０において、制御部９６は、片面印刷済みの印刷媒体が指定供給部に上下逆にセットされていることを示す警告画面を表示部８３２に表示させる。ここで表示される警告画面の一例を図１３に示す。
【０１１９】
図１３に示すように、警告画面１１０には、印刷媒体が上下逆にセットされていることをユーザに通知するメッセージが表示される。また、警告画面１１０には、ユーザに、排出された印刷媒体を指定供給部に積載された印刷媒体中の元の位置に戻させるとともに、指定供給部の印刷媒体を上下反転させるためのメッセージが表示される。ユーザは、警告画面１１０の指示に従って、排出された印刷媒体を元の位置に戻し、指定供給部の印刷媒体を上下反転させた後、入力部８３１を操作することで、改めて第２面の印刷開始を指示することができる。ステップＳ１６０の処理後、制御部９６は、図８のステップＳ１２０に戻る。
【０１２０】
一方、ステップＳ１４０において、印刷媒体の上向きの面が印刷済みの面でない、つまり未印刷面であると判断した場合（ステップＳ１４０：ＮＯ）、ステップＳ１７０において、制御部９６は、第２面の印刷用の画像データに基づき、第２面の印刷を行わせる。そして、制御部９６は、両面印刷済みの印刷媒体を、指定排出部により排出させる。
【０１２１】
ステップＳ１８０では、制御部９６は、第２面印刷用の全画像データの印刷が終了したか否かを判断する。制御部９６は、印刷が終了していないと判断した場合（ステップＳ１８０：ＮＯ）、ステップＳ７０に戻り、全画像データの印刷が終了するまで印刷を繰り返す。ここでは、各印刷媒体に対する第２面の印刷は、ステップＳ６０またはステップＳ７０で用意された裏面用の画像データＲＤｎの印刷順で行われる。
【０１２２】
図１０のステップＳ１９０では、制御部９６は、画像処理部８１から入力された元の画像データから裏面用の画像データを取り出し、第１面の印刷用として用意する。ここでは、制御部９６は、図１１（ａ）に示した元の画像データから、図１４（ａ）に示すように、裏面用の画像データＲＤｎを取り出し、ＲＤ１→ＲＤＮの印刷順に並べる。
【０１２３】
次いで、ステップＳ２００において、制御部９６は、指定供給部は上面給紙部２１であるか否かを判断する。
【０１２４】
指定供給部が上面給紙部２１であると判断した場合（ステップＳ２００：ＹＥＳ）、ステップＳ２１０において、制御部９６は、設定情報に含まれる排出先設定情報に基づき、指定排出部がフェイスアップ排紙部４であるか否かを判断する。
【０１２５】
指定排出部がフェイスアップ排紙部４であると判断した場合（ステップＳ２１０：ＹＥＳ）、ステップＳ２２０において、制御部９６は、第２面の印刷用として、印刷順を、第１面の印刷用の、裏面用の画像データＲＤｎと同順とした表面用の画像データＦＤｎを用意する。すなわち、制御部９６は、図１４（ｂ）に示すように、表面用の画像データＦＤｎを、ＦＤ１→ＦＤＮの印刷順となるように並べて用意する。
【０１２６】
ステップＳ２１０において、指定排出部がフェイスアップ排紙部４でない、つまり、フェイスダウン排紙部６であると判断した場合（ステップＳ２１０：ＮＯ）、制御部９６は、ステップＳ２３０において、第２面の印刷用として、印刷順を、第１面の印刷用の、裏面用の画像データＲＤｎと逆順とした表面用の画像データＦＤｎを用意する。すなわち、制御部９６は、図１４（ｃ）に示すように、表面用の画像データＦＤｎを、ＦＤＮ→ＦＤ１の印刷順となるように並べて用意する。
【０１２７】
一方、ステップＳ２００において、指定供給部が上面給紙部２１でない、つまり下面給紙部２２であると判断した場合（ステップＳ２００：ＮＯ）、ステップＳ２４０において、制御部９６は、指定排出部がフェイスアップ排紙部４であるか否かを判断する。制御部９６は、指定排出部がフェイスアップ排紙部４であると判断した場合（ステップＳ２４０：ＹＥＳ）、ステップＳ２３０に進み、指定排出部がフェイスアップ排紙部４でない、つまり、フェイスダウン排紙部６であると判断した場合（ステップＳ２４０：ＮＯ）、ステップＳ２２０に進む。
【０１２８】
上記ステップＳ２２０，Ｓ２３０における表面用の画像データＦＤｎの印刷順の決定は、図７に示した関係に基づくものである。これにより、制御部９６は、各印刷媒体に印刷される表面の画像と裏面の画像との整合をとることができる。
【０１２９】
ステップＳ２２０およびステップＳ２３０の処理後、制御部９６は、ステップＳ９０に進む。ステップＳ９０以降の処理により、第１面の印刷後、第２面の印刷が行われる。ここでは、各印刷媒体に対する第１面の印刷は、ステップＳ１９０で用意された裏面用の画像データＲＤ１→ＲＤＮの順で行われる。また、各印刷媒体に対する第２面の印刷は、ステップＳ２２０またはステップＳ２３０で用意された表面用の画像データＦＤｎの印刷順で行われる。
【０１３０】
以上説明したように、本実施の形態の印刷装置１は、所定の印刷媒体を用いる際に行う手動両面印刷において、印刷媒体の供給元および排出先に応じて、画像データの印刷順の並べ替えを行い、各印刷媒体の第１面および第２面の印刷に用いる画像データを決定する。これにより、印刷装置１は、手動両面印刷において、自動的に各印刷媒体の表面と裏面の印刷内容の整合をとり、ユーザの特別な作業を必要とせず、表面と裏面の印刷内容が適切な印刷物を得ることができる。
【０１３１】
また、印刷装置１は、第２面の印刷の際に、印刷媒体の上向きの面が印刷済みの面であることを検出すると、印刷を中止するので、誤印刷を防止できる。また、印刷装置１は、警告画面１１０を表示することで、ユーザに印刷媒体のセットの誤りを容易に認識させることができる。
【０１３２】
なお、本実施の形態では、印刷媒体の排出先は、印刷データに含まれる設定情報により指定されるとした。しかし、設定情報に排出先の指定が含まれていないこともある。この場合、印刷装置１で予め設定された排出先（フェイスアップ排紙部４またはフェイスダウン排紙部６）を指定排出先として設定してもよい。
【０１３３】
また、設定情報に排出先の指定が含まれていない場合、搬送駆動制御部９５が、第１面の印刷開始時のフェイスアップ排紙台４３およびフェイスダウン排紙台６３の積載量に基づいて排出先を決定するようにしてもよい。積載量は、フェイスアップ排紙台４３およびフェイスダウン排紙台６３に設けられた図示しないセンサにより検出できる。例えば、搬送駆動制御部９５は、フェイスアップ排紙台４３およびフェイスダウン排紙台６３のうち、積載されている印刷媒体が少ない方に、第１面が印刷された印刷媒体を排出させ、その排出先を制御部９６に通知する。そして、制御部９６は、第１面の印刷済みの印刷媒体が排出された排出先に基づき、第２面の印刷用の画像データの印刷順を決定する。
【０１３４】
また、上面給紙部２１および下面給紙部２２のいずれか一方を省略してもよい。この場合、給紙部２が、印刷媒体を上側から取り出す構成であるか下側から取り出す構成であるかは、予め決まっている。このため、この構成の印刷装置では、画像データの印刷順の決定のために本実施の形態で行っていた、指定供給部が上面給紙部２１および下面給紙部２２のいずれであるかの判断は省略できる。
【符号の説明】
【０１３５】
１  印刷装置
２  給紙部
３  印刷部
４  フェイスアップ排紙部
６  フェイスダウン排紙部
２１  上面給紙部
２２  下面給紙部
３４  センサ
９６  制御部
１１０  警告画面
８３２  表示部
【図１】
2012111181.tif 000003
【図２】
2012111181.tif 000004
【図３】
2012111181.tif 000005
【図４】
2012111181.tif 000006
【図５】
2012111181.tif 000007
【図６】
2012111181.tif 000008
【図７】
2012111181.tif 000009
【図８】
2012111181.tif 000010
【図９】
2012111181.tif 000011
【図１０】
2012111181.tif 000012
【図１１】
2012111181.tif 000013
【図１２】
2012111181.tif 000014
【図１３】
2012111181.tif 000015
【図１４】
2012111181.tif 000016